(57)【特許請求の範囲】
【請求項１】
本体部の正面又は裏面に、他の南京錠の本体部を収納できる有底のポケットを一体に連設し、一方、シャックルの中央部に、施錠時ポケットに収納された他の南京錠のシャックルの脚部の間を挿通して、他の南京錠の上面を抑制する張り出し部を一体に形成したことを特徴とする南京錠。
【発明の詳細な説明】
【０００１】
【発明の属する技術分野】
この発明は南京錠に係り、特に、他の南京錠と共に組合わせて南京錠の２重施錠を容易にすることができる新規な南京錠に関する。
【０００２】
【従来の技術】
南京錠は、良く知られているように、偏平な本体部の上面に通常は逆Ｕ字形のシャックルを装着し、解錠時シャックルの自由脚部を本体部から抜出すと共に、他方の基脚部を回動可能にして自由脚部を基脚部の回りで回動できるようにしてある。
【０００３】
そして、図示しない閂等の掛け金１（図４参照）の穴にシャックルを通した後その自由脚部を本体部に差し入れて施錠する。
【０００４】
かかる型式の南京錠は古来より使用されており、その施錠機構は種々のものがあることは周知の通りである。
【０００５】
【発明が解決しようとする課題】
ところで、例えば武器等を収納した戸棚の錠前だとか、劇薬や毒薬、或いは伝染病の細菌やウィルスを保管してある容器などの施錠装置として南京錠を用いる場合、安全性を確保するため、或いは管理を厳重にするため２重に施錠しなければならないことがある。
【０００６】
この場合、上記掛け金機構をもう一つ増設する必要があるが、施錠されるものの構造によってはその増設ができない場合があり、できる場合でも、当然のことながら、手間もコストも増大する。
【０００７】
この発明は、上記した不都合を解消し、現在使用している南京錠をその儘使用して２重施錠をすることができる新規な南京錠を提供することを目的としている。
【０００８】
【課題を解決するための手段】
上記の目的を達成するため、この発明は、本体部の正面又は裏面に、他の南京錠の本体部を収納できる有底のポケットを一体に連設し、一方、シャックルの中央部に、施錠時ポケットに収納された他の南京錠のシャックルの脚部の間を挿通して、他の南京錠の上面を抑制する張り出し部を一体に形成したことを特徴とする。
【０００９】
【発明の実施の態様】
以下、この発明の実施例を図面を参照して説明する。
図１乃至図４において符号２はこの発明による南京錠の全体を示し、この南京錠２は、施錠機構やシリンダー錠などの錠止機構を内蔵した本体部３と、シャックル４とを備えており、後述する特徴的な部分を除けば本質的に従来の南京錠と異なるところは無い。
【００１０】
また、本体部３に内蔵される錠止機構は従来のあらゆる南京錠の錠止機構をその儘利用することができ、換言すれば、本発明は従来のあらゆる種類の南京錠に適用することができる。
【００１１】
上記本体部３の裏面側には、図２乃至図４に示すように、上面が開口し、水平断面が偏平な矩形の有底のポケット５が一体に連設されている。
【００１２】
図示の実施例では、このポケット５の大きさは概ね本体部３と同じになっているが、このポケット５に収納するべき他の南京錠が大きい場合には、その大きさに合せて本体部３より大きくしてもよい。
【００１３】
また、他の南京錠がポケット５にピッタリと嵌合する本体部を有する場合には、その挿入を容易にするため、ポケット５の底面に抜き孔６を開口させ、空気をこの抜き孔６から抜くようにすると良い。
【００１４】
一方、上記シャックル４は、図１乃至図３に示すように、従来の南京錠のシャックルを下方で切断し、切り取った上方の逆Ｕ字部分の代りに、全体の形状が略凸字形のシャックル板４１を交換した形状である。
【００１５】
このシャックル板４１の両端下面には、図１及び図２に示すように、基脚部４２及び自由脚部４３が夫々植設されており、本発明による南京錠においては、これらシャックル板４１、基脚部４２及び自由脚部４３が一体に結合されてシャックル４を構成している。
【００１６】
そして、シャックル板４１の中央部は本体部３の裏面側に突出して、図２及び図３に示すように、張り出し部４４が一体に形成されている。
【００１７】
なお、図示の実施例では、基脚部４２及び自由脚部４３の長さが、施錠時、図１に鎖線で示すように、また図４に示すように、シャックル板４１が本体部３の上面に接合するように設定されているが、これらの間に多少の隙間が生じても作動に影響はない。
【００１８】
また、本体部３には、通常の南京錠と同様に、シリンダ錠が内蔵されており、その鍵孔は本体部の下面に開口しているものとする。
【００１９】
上記のように構成されたこの発明の一実施例による南京錠は、図１に実線で示すように、解錠してシャックル４を上昇させ、図３に示すように、例えばシャックル４を基脚部４２の回りで時計方向に回動させてポケット５の開口を顕わす。
【００２０】
しかる後、施錠されるものの掛け金１（図４参照）を施錠した他の南京錠２０の本体部をポケット５内に入れ、図３に矢印で示すように、シャックル４の張り出し部４３を他の南京錠のシャックル４の脚部間に挿通させるようにしてシャックル４を反時計方向に回動させ、図２及び図４に示すように、この発明による南京錠のシャックル４を本体部３内に押込んで施錠する。
【００２１】
なお、上記とは逆に、解錠状態にある他の南京錠を本発明による南京錠のポケット５に収納して施錠し、しかる後他の南京錠２０のシャックルを掛け金１に挿通して施錠してもよい。
【００２２】
施錠状態では、図２から明らかなように、シャックルの張り出し部４４がポケット５内の他の南京錠の本体部を上方から抑制し、他の南京錠を抜出すことができない。
【００２３】
また、図４から明らかなように、他の南京錠２０の本体部はポケット５内にあり、その鍵孔は外部に露呈していないから、他の南京錠を解錠するには必ずこの発明による南京錠２を解錠しなければならず、すなわち南京錠の２重施錠が可能となる。
【００２４】
このとき、この発明による南京錠の鍵と、他の南京錠の鍵とを別々の人或いは部署で独立に管理すれば、危険物の管理を厳重にすることができる。
【００２５】
【発明の効果】
以上の説明から明らかなように、この発明は、本体部にポケットを一体に形成し、このポケット内に他の南京錠の本体部を収納した後施錠し、施錠時シャックルの張り出し部が他の南京錠の本体部を抑制してポケットから抜け出すことができないようにしたので、この発明による南京錠及び他の南京錠の双方を解錠しなければ錠前を解錠できず、したがって掛け金機構の増設を要せずに２重施錠が可能になる。
【００２６】
また、同様に理由により、所謂ピッキングが困難になり、南京錠の安全性及び防犯性が向上する、等種々の効果を奏する。
【図面の簡単な説明】
【図１】この発明の一実施例による南京錠の正面図で、実線で解錠状態を、鎖線で施錠状態を夫々示す。
【図２】その平面図。
【図３】図２と同様の平面図で、シャックルが他の南京錠をポケットに収納するため回動している状態を示す。
【図４】この発明の一実施例による南京錠の施錠状態を示す一部断面側面図。
【符号の説明】
２  南京錠
３  本体部
４  シャックル
５  ポケット
４１  シャックル板
４２  基脚部
４３  自由脚部
４４  張り出し部
【図１】
0004168097.tif 000002
【図２】
0004168097.tif 000003
【図３】
0004168097.tif 000004
【図４】
0004168097.tif 000005